(57)【要約】【課題】  コストを低減し、光結合を安定化させる光トランシーバを提供する。【解決手段】  金属製筐体１に光コネクタを挿入するための開口部２を形成し、この開口部２に臨む所定の位置に発光部及び受光部を保持させるために、前記発光部及び受光部をホルダ４に装着し、このホルダ４を前記筐体１内に組み込むようにした光トランシーバにおいて、前記ホルダ４に前記開口部２を塞ぐつば５を形成し、このつば５に導電性を持たせたので、つば５が電磁遮蔽に働き、かつホルダ４の回転を防ぐ。【選択図】  図１
2005347606.tif 000002
【特許請求の範囲】
【請求項１】
金属製筐体に光コネクタを挿入するための開口部を形成し、この開口部に臨む所定の位置に発光部及び受光部を保持させるために、前記発光部及び受光部をホルダに装着し、このホルダを前記筐体内に組み込むようにした光トランシーバにおいて、前記ホルダに前記開口部を塞ぐつばを形成し、このつばに導電性を持たせたことを特徴とする光トランシーバ。
【請求項２】
前記つばに前記筐体に接触する突起を形成したことを特徴とする請求項１記載の光トランシーバ。
【請求項３】
前記筐体内に前記つばに接触する突起を形成したことを特徴とする請求項１又は２記載の光トランシーバ。
【発明の詳細な説明】
【技術分野】
【０００１】
本発明は、光コネクタ用開口部に電磁遮蔽を施した光トランシーバに係り、コストを低減し、光結合を安定化させる光トランシーバに関する。
【背景技術】
【０００２】
光通信に用いる光トランシーバは発光素子や受光素子からなる発光部及び受光部と、これら発光部及び受光部が送受する光信号を電気的に処理する回路を実装した基板とを筐体に収容したもので、光伝送路である光ファイバコードとの接続のために、光ファイバコード端の光コネクタを挿入する開口部を上記筐体に形成してある。発光部及び受光部は光コネクタと光結合させる必要から、開口部に臨む所定の位置に収容される。
【０００３】
発光部や受光部はそれぞれ小さな部品であり、こうした小さな部品を正しく位置決めして筐体内に収容するために、発光部や受光部をつば付きのホルダに装着し、筐体内部にはそのつばが嵌り込む嵌り込み部を形成しておく。
【０００４】
一方、通信が高速であることに伴い、発光部、受光部、回路などから出入りする高周波ノイズが問題となる。そこで、筐体を金属等の導体で形成することで、遮蔽を図っている。しかし、筐体を金属製にしても開口部が遮蔽されないので、ホルダに導体のシートを被せることも行われている。
【０００５】
図６に背景技術の光トランシーバを示す。図６（ａ）に示すように、背景技術の光トランシーバは、金属製筐体６１に角柱状の光コネクタを挿入するために、その光コネクタ挿入方向から見て角形の開口部６２を形成し、この開口部６２に臨む所定の位置に発光部（図示せず；受光部に隠れている）及び受光部６３を保持させるために、発光部及び受光部をつば付きのホルダ６４に装着し、筐体６１にはつば６５が嵌り込む嵌り込み部（図示せず）を形成したものである。発光部及び受光部６３と回路基板６６とは図示しないフレキシブル基板で電気的に接続されている。
【０００６】
発光部及び受光部６３はそれぞれ円柱状に形成されている。ホルダ６４は発光部及び受光部の端部に取り付けられている。ホルダ６４は発光部及び受光部を取り付ける径の大きい部分と図示しない光コネクタに挿入される径の小さい部分とからなる。径の大きい部分も径の小さい部分も光コネクタ挿入方向から見た形状は円形である。径の大きい部分には、一周する溝６９を設けることで２つのつば６５を形成してある。
【０００７】
図では省略して描いているが開口部６２は、ホルダ６４のつば６５に届くところまで伸びて、光コネクタを挿入する空間を形成している。
【０００８】
つば６５と嵌り込み部との嵌め合いは、つば６５が径方向外方に凸に出ているところで嵌り込み部が凹んでおり、溝６９のところで嵌り込み部が径方向内方に凸に出ている。両者が嵌め合わされると、開口部６２から所定の位置に発光部及び受光部６３が組み込まれることになる。一方、開口部６２の中心線（光コネクタの光軸）とホルダ６４の中心線（発光部及び受光部の光軸）が一致するように、つば６５は開口部６２から見てホルダ６４と同じ中心を持つ円形に形成されている。従って、ホルダ６４はホルダ６４の中心線周りの任意の回転角で組み込めば、発光部及び受光部と光コネクタとの光結合がとれる。
【０００９】
ホルダ６４には金属製シート６７が装着される。この金属製シート６７は、図６（ｂ）に示されるように、発光部及び受光部各ホルダ６４の径の小さい部分を挿通する円孔を有する。この金属製シート６７は、ホルダの径の小さい部分の周りの径の大きい部分を覆うようになっている。金属製シート６７には筐体６１に接するヒレ６８が形成してある。このヒレ６８がつば６５からはみ出て筐体６１に接することで金属製シート６７が接地され、開口部６２における電磁遮蔽効果を発揮する。
【００１０】
【特許文献１】米国特許第６，６０９，８３８  Ｂ１号明細書
【特許文献２】米国特許第６，３５０，０６３  Ｂ１号明細書
【発明の開示】
【発明が解決しようとする課題】
【００１１】
背景技術の光トランシーバを製造するとき、まず、発光部及び受光部６３をホルダ６４に装着し、そのホルダ６４に金属製シート６７を装着し、そのホルダ６４を筐体６１内に組み込む。このときホルダ６４に金属製シート６７を装着する工程があるため、作業に要する時間がそれだけ長くなる。
【００１２】
また、ホルダ６４に金属製シート６７を装着する際に、金属製シート６７が折れ曲がってしまうことがあり、そうなるとホルダ６４を筐体６１内に組み込むことが困難になる。金属製シート６７が折れ曲がらないように注意しなければならない。しかし、薄くて小さい金属製シート６７が折れ曲がらないようにする作業は作業性が悪い。
【００１３】
また、金属製シート６７を入れることで部品点数が多くなる。
【００１４】
以上のように、電磁遮蔽のために金属製シート６７を組み込むことは、作業性や部品点数の面でコスト上の問題を生じている。
【００１５】
また、背景技術の光トランシーバは、ホルダ６４が筐体６１に対して中心線周りの回転の自由度を有する。しかし、発光部及び受光部６３と回路基板６６とを繋ぐフレキシブル基板に捩れが生じると、その捩れの力により発光部及び受光部と光コネクタの光結合がずれて光接続損失が増加し、その結果、光信号伝送が不安定となり、伝送エラーが発生してしまう。
【００１６】
そこで、本発明の目的は、上記課題を解決し、コストを低減し、光結合を安定化させる光トランシーバを提供することにある。
【課題を解決するための手段】
【００１７】
上記目的を達成するために本発明は、金属製筐体に光コネクタを挿入するための開口部を形成し、この開口部に臨む所定の位置に発光部及び受光部を保持させるために、前記発光部及び受光部をホルダに装着し、このホルダを前記筐体内に組み込むようにした光トランシーバにおいて、前記ホルダに前記開口部を塞ぐつばを形成し、このつばに導電性を持たせたものである。
【００１８】
前記つばに前記筐体に接触する突起を形成してもよい。
【００１９】
前記筐体内に前記つばに接触する突起を形成してもよい。
【発明の効果】
【００２０】
本発明は次の如き優れた効果を発揮する。
【００２１】
（１）組み立ての作業性が向上し、部品点数が減少するので、コストが低減できる。
【００２２】
（２）ホルダに回転自由度がないので、光結合を安定化させることができる。
【発明を実施するための最良の形態】
【００２３】
以下、本発明の一実施形態を添付図面に基づいて詳述する。
【００２４】
図１に示されるように、本発明に係る光トランシーバは、金属製筐体１に角柱状の光コネクタを挿入するための角形の開口部２を形成し、この開口部２に臨む所定の位置に発光部（図示せず；受光部３に隠れている）及び受光部３を保持させるために、発光部及び受光部３をホルダ４に装着し、このホルダ４を筐体１内に組み込むようにした光トランシーバにおいて、ホルダ４に開口部２を塞ぐ角形（矩形状）のつば５を形成し、このつば５に導電性を持たせたものである。発光部及び受光部３と回路基板６とは図示しないフレキシブル基板で電気的に接続されている。
【００２５】
図１の光トランシーバが背景技術の光トランシーバと大きく異なる点は、ホルダ４に角形のつば５を形成した点とつば５に導電性を持たせた点である。以下、これらの相違点を重点的に説明していく。
【００２６】
つば５に導電性を持たせる具体的な構成として、樹脂で形成したホルダ４（つば５も一体成形する）に導電性塗料を塗布すること、樹脂で形成したホルダ４に銅、ニッケルなどの金属をメッキすること、樹脂にカーボンブラック粉末、フェライトなどの磁性体粉末等の導電性材料を混入してホルダ４を形成することなどがある。
【００２７】
ホルダ４の全体形状を明確にするため、図２にホルダ４の斜視図を示す。図示のように、ホルダ４は、光コネクタ（図示せず）に挿入される径の小さい部分７と、光コネクタ挿入方向から見た形状が矩形、すなわち角形のつば５と、そのつば５に繋がり発光部及び受光部を取り付ける部分８を有する。径の小さい部分７は、光コネクタ挿入方向から見た形状が円形である。
【００２８】
つば５の周囲（上下面、両側面のいずれか又は両方）には筐体１に接触させるための突起９，１０が形成されている。突起９，１０は、楔形であり、一方の端面側ではつば５から隆起する高さが高く、反対端面側ではつば５からの高さがほとんど無い程度に低くなっている。なお、この図では見えないがホルダ４の反対端面には円柱状の発光部及び受光部の一部を挿入して取り付けるための円穴が形成されている。その円穴の内周には幅０．５ｍｍ程度の溝を設けておき、発光部及び受光部の外周にはその溝に嵌合する山を設けておくと、ホルダ４に対して発光部及び受光部が回転しないようにすることができる。
【００２９】
図１では省略して描いているが、開口部２は、回路基板６の直前まで伸びて、光コネクタを挿入する空間とホルダ４並びに発光部及び受光部３を収納する空間を形成している。
【００３０】
つば５の形状を明確にするために、図３に光コネクタ挿入方向から見た図（端面図）を示す。図示のように、筐体１には発光部のホルダ４（図示左側）と受光部のホルダ４（図示右側）とを並べて収容してある。両ホルダ４のつば５は、いずれも角形に形成されている。発光部のホルダ４は、つば５の上面と筐体１の側壁に接する面（図示左側）とに突起９，１０が形成されている。一方、受光部のホルダ４は、つば５の上面と筐体１の側壁に接する面（図示右側）とに突起９，１０が形成されている。
【００３１】
筐体１は、下シャーシ１１と上シャーシ１２とに分割形成されている。下シャーシ１１は、２つのホルダ４のつば５の下面に接する底板１３と、底板１３から立ち上げて２つのホルダ４，４間を仕切る仕切り壁１４と、底板の両側に立ち上げた側壁１５とからなる。側壁１５と仕切り壁１４との離間距離はホルダ４の幅（つば５の幅）とほぼ同じである。仕切り壁１４の高さはホルダ４の高さ（つば５の高さ）とほぼ同じである。側壁１の端部には、つば５の突起１０を案内するガイド溝、あるいは突起１０を嵌め込む切り欠き穴が形成されている。この下シャーシ１１にホルダ４を光コネクタ挿入方向から嵌め込んで、押し込んでいくとホルダは図１に示した位置に来る。
【００３２】
上シャーシ１２は、２つのホルダ４のつば５の上面に接する天板１６と、下シャーシ１１の両側壁１を覆う外側壁１７と、両外側壁１７の下端から内側に折れて下シャーシ１１の底板１３に外から接する爪部１８とからなる。天板１６には、つば４の突起９を天板１６上に逃がす切り欠き穴が形成されている。
【００３３】
上シャーシ１２と下シャーシ１１は、互いに嵌め合わせスライドさせて一体の筐体１として組み立てることができる。下シャーシ１１と上シャーシ１２とを一体の筐体１に組み立てると、下シャーシ１１の底板１３、仕切り壁１４、側壁１５と上シャーシ１２の天板１６とにより、２つの開口部２が形成される。また、つば５の上面の突起９が天板１６に係合することにより、ホルダ４が筐体１内に保持される。
【００３４】
本発明の光トランシーバにおける作用効果を説明する。
【００３５】
図３に示されるように、つば５は開口部２の全体（ホルダ４の径の小さい部分７は光の通路であるから当然除外される）を覆っている。つば５は導電性を有すると共に筐体１に接触して接地されるので、電磁波をよく遮蔽することができる。さらに、つば５に突起９，１０を設けることで、つば５と筐体１との接触を確実に図ることができる。
【００３６】
また、つば５が角形で角形の開口部２にぴったり嵌っているので、ホルダ４が不要に回転することがない。さらに、つば５に突起９，１０を設けることで、突起９，１０が筐体１に係合することになり、ホルダ４を確実に固定させることができる。
【００３７】
本発明によれば、ホルダ４の一部であるつば５が電磁遮蔽の働きを有するので、金属製シートを追加する必要がない。このため、組み立ての作業性が向上すると共に、部品点数が減少する。その結果、光トランシーバのコストが低減できる。
【００３８】
また、本発明によれば、つば５を角形にしたので、ホルダ４の回転が防止され、発光部及び受光部と回路基板とを繋ぐフレキシブル基板に捩れが生じることがなくなる。その結果、光結合を安定化させることができ、光接続損失による伝送エラーを低減させることができる。
【００３９】
本発明の他の実施形態を図４、図５により説明する。
【００４０】
図４は、図３で説明した筐体１の上シャーシ１２だけを示したものである。図５は、図３に使用されている２つのホルダ４を取り出して示したものである。つまり、発光部のホルダ４（図示左側）は、つば５の上面と筐体側壁に接する面（図３参照）とに突起９，１０が形成されている。一方、受光部のホルダ４は、つば５の上面と筐体側壁に接する面とに突起９，１０が形成されている。これに対し、上シャーシ１２には、これらの突起９，１０に正対する位置にそれぞれ対向突起１９が設けられている。これらの対向突起１９は、筐体の内方に突き出すことにより、つば５の突起９，１０に接触・干渉して弾性的に変形するようになっている。図示例では、上シャーシ１２の天板１６と外側壁１７にコ字状の切れ目２０を入れ、その切れ目２０に囲まれた部分を内側に膨らませて板ばねの働きをする対向突起１９を形成している。
【００４１】
これらの対向突起１９は、つば５の突起９，１０に押されて付勢され、つば５を強力に保持することができる。
【図面の簡単な説明】
【００４２】
【図１】本発明の一実施形態を示す光トランシーバの側面透視図である。
【図２】本発明の一実施形態を示すホルダの斜視図である。
【図３】図１の光トランシーバを光コネクタ挿入方向から見た端面図である。
【図４】本発明の他の実施形態を示す上シャーシの斜視図である。
【図５】本発明の他の実施形態を示すホルダの斜視図である。
【図６】（ａ）は背景技術の光トランシーバの側面透視図、（ｂ）は金属製シートの正面図である。
【符号の説明】
【００４３】
１  筐体
２  開口部
４  ホルダ
５  つば
９，１０  突起
１９  対向突起
【図１】
2005347606.tif 000003
【図２】
2005347606.tif 000004
【図３】
2005347606.tif 000005
【図４】
2005347606.tif 000006
【図５】
2005347606.tif 000007
【図６】
2005347606.tif 000008